(57)【特許請求の範囲】
【請求項１】
ボディパネルへのアシストグリップの取付構造において，
上記アシストグリップの両端に設けられた係合部にはクッション材が配設され，該クッション材には，上記ボディパネルに設けた係合穴に一度挿入すれば抜き出すことができない嵌め殺しクリップが着脱可能に固定してあり，上記嵌め殺しクリップが上記ボディパネルに設けた係合穴に係合して，上記アシストグリップが上記ボディパネルに取り付けられており，
上記クッション材の背面には，上記アシストグリップの上記係合部に係合するための支承部が形成されており，
該支承部に設けた一対の軸受部に対してダンパー又はスプリングを介して軸支した軸によって，上記クッション材に対して上記アシストグリップの上記係合部が係合していることにより，上記アシストグリップが上記クッション材に対して回転可能であることを特徴とするアシストグリップの取付構造。
【請求項２】
請求項１において，上記クッション材は，上記嵌め殺しクリップを固定する基板部と，該基板部の端部に折り曲げ可能に連結されたカバー部とを有しており，該カバー部は，上記嵌め殺しクリップを上記基板部に取り付けた後に該基板部に対して閉じるよう構成してあることを特徴とするアシストグリップの取付構造。
【請求項３】
請求項１又は２において，上記ボディパネルの室内側表面には，内装パネルが配設されており，上記アシストグリップは，上記嵌め殺しクリップが上記内装パネルに設けた貫通穴を通って上記ボディパネルの係合穴に係合して上記ボディパネルに取り付けられていることを特徴とするアシストグリップの取付構造。
【請求項４】
請求項１〜３のいずれか一項において，上記クッション材は，上記ボディパネルに対向する面において，上記内装パネルの貫通穴の周縁部に係合可能な係合爪を有しており，該係合爪を上記貫通穴に係合して上記アシストグリップと上記内装パネルとが一体化していることを特徴とするアシストグリップの取付構造。
【発明の詳細な説明】
【０００１】
【技術分野】
本発明は，車両の室内において取り付けられて，人の姿勢を支えることができるアシストグリップの取付方法及び取付構造に関する。
【０００２】
【従来技術】
従来より，自動車等の室内において，座席に座った人の姿勢を支えるためにアシストグリップが取り付けられている。
図７（ａ）に示すごとく，このアシストグリップ９１は，人が把手する把手部９１１と該把手部９１１の両端に設けられた係合部９１２とを有している。そして，アシストグリップ９１には，係合部９１２に自動車等のボディパネル４に取り付けるためのクッション材９２を取り付けている。
図７（ｂ），（ｃ）に示すごとく，上記アシストグリップ９１を自動車等のボディパネル４に取り付けるに際しては，上記クッション材９２を，ビス９３によってボディパネル４に溶接されたウェルドナット９４に螺合している。
【０００３】
【解決しようとする課題】
しかしながら，上記従来のアシストグリップ９１の取付方法には，以下のような問題点がある。
即ち，上記従来の取付方法においては，上記アシストグリップ９１は，自動車のメインフレームに組み付けられた上記ボディパネル４にビス９３で直接組み付けている。そのため，作業スペースが小さいところで，ビス９３を回して取り付けなければならず，その作業性を悪化させている。
また，上記ボディパネル４には，予めウェルドナット９４を溶接しておく必要があり，ボディパネル４の製作の際に，このウェルドナット９４を溶接するための工程を実施しなければならず，この工程の合理化を妨げている。
【０００４】
本発明は，かかる従来の問題点に鑑みてなされたもので，取付が簡単であると共に着脱可能で，かつ，ボディパネルの製造工程を合理化することができるアシストグリップの取付方法及び取付構造を提供しようとするものである。
【０００５】
【課題の解決手段】
参考発明は，ボディパネルへのアシストグリップの取付方法において，
上記ボディパネルに設けた係合穴に一度挿入すれば抜き出すことができない嵌め殺しクリップを準備し，
該嵌め殺しクリップをクッション材に着脱可能に固定すると共に，該クッション材を上記アシストグリップの両端に予め配設しておき，
上記嵌め殺しクリップを上記ボディパネルの係合穴に挿入することにより，上記アシストグリップを上記ボディパネルに取り付けることを特徴とするアシストグリップの取付方法にある。
【０００６】
本発明において最も注目すべきことは，上記クッション材に着脱可能に固定された上記嵌め殺しクリップを上記ボディパネルの係合穴に挿入することにより，上記アシストグリップを上記ボディパネルに取り付けることである。
【０００７】
次に，本発明の作用効果につき説明する。
本発明においては，アシストグリップをボディパネルに取り付けるに当り，上記嵌め殺しクリップを使用する。この嵌め殺しクリップは，クッション材に着脱可能に予め固定しておく。そして，嵌め殺しクリップをボディパネルの係合穴に挿入することにより，アシストグリップをボディパネルに取り付ける。このとき，嵌め殺しクリップの挿入により，アシストグリップをボディパネルにワンタッチで取り付けることができる。そのため，従来のようにアシストグリップをボディパネルに取り付ける際に，作業性が悪い状態においてビスを回す等の作業がなく，簡単に取付を行うことができる。
【０００８】
また，例えばメンテナンスのときなど，アシストグリップを取り外す必要があるときには，上記嵌め殺しクリップのクッション材への固定を外すことにより，嵌め殺しクリップをボディパネルに残したまま，容易にアシストグリップを取り外すことができる。そのため，上記アシストグリップは，上記取付を行った後には，嵌め殺しクリップとクッション材との着脱を行うことにより，容易に着脱を繰り返すことができる。
また，本発明においては，従来のようにボディパネルへのウェルドナットの溶接等の工程を行わなくてもよい。そのため，ボディパネルの製造工程を合理化することができる。
【０００９】
次に，上記ボディパネルの室内側表面には，内装パネルが配設されており，上記アシストグリップは，上記嵌め殺しクリップを上記内装パネルに設けた貫通穴を通って上記ボディパネルの係合穴に挿入することにより上記ボディパネルに取り付けることが好ましい。
これにより，ボディパネルの室内側に内装パネルが存在する場合においても，上記アシストグリップを容易に取り付けることができる。
【００１０】
次に，上記クッション材は，上記ボディパネルに対向する面において，上記内装パネルの貫通穴の周縁部に係合可能な係合爪を有しており，該係合爪を上記貫通穴に係合して上記アシストグリップと上記内装パネルとを一体化して仮組み体とし，該仮組み体を上記ボディパネルに取り付ける際に，上記嵌め殺しクリップを上記ボディパネルの係合穴に挿入することが好ましい。
【００１１】
これにより，アシストグリップは，内装パネルをボディパネルに取り付けると同時に，ボディパネルに取り付けられることができる。そのため，アシストグリップのボディパネルへの取付が一層容易になる。
【００１２】
請求項１に記載の発明は，ボディパネルへのアシストグリップの取付構造において，
上記アシストグリップの両端に設けられた係合部にはクッション材が配設され，該クッション材には，上記ボディパネルに設けた係合穴に一度挿入すれば抜き出すことができない嵌め殺しクリップが着脱可能に固定してあり，上記嵌め殺しクリップが上記ボディパネルに設けた係合穴に係合して，上記アシストグリップが上記ボディパネルに取り付けられており，
上記クッション材の背面には，上記アシストグリップの上記係合部に係合するための支承部が形成されており，
該支承部に設けた一対の軸受部に対してダンパー又はスプリングを介して軸支した軸によって，上記クッション材に対して上記アシストグリップの上記係合部が係合していることにより，上記アシストグリップが上記クッション材に対して回転可能であることを特徴とするアシストグリップの取付構造にある。
【００１３】
次に，本発明の作用効果につき説明する。
本発明においては，上記アシストグリップは，嵌め殺しクリップをボディパネルに設けた係合穴に係合することにより，ワンタッチでボディパネルに取り付けられている。そのため，アシストグリップの取付構造が簡単である。
【００１４】
また，上記と同様に，アシストグリップは，取付を行った後には，嵌め殺しクリップとクッション材との着脱を行うことにより，容易に着脱を繰り返すことができる。また，従来のようにボディパネルへのウェルドナットの溶接等の工程を行わなくてもよいため，ボディパネルの製造工程を合理化することができる。
【００１５】
次に，請求項３に記載の発明のように，上記ボディパネルの室内側表面には，内装パネルが配設されており，上記アシストグリップは，上記嵌め殺しクリップが上記内装パネルに設けた貫通穴を通って上記ボディパネルの係合穴に係合して上記ボディパネルに取り付けられていることが好ましい。
これにより，ボディパネルの室内側に内装パネルが存在する場合においても，上記アシストグリップの取付構造を簡単にすることができる。
【００１６】
次に，請求項４に記載の発明のように，上記クッション材は，上記ボディパネルに対向する面において，上記内装パネルの貫通穴の周縁部に係合可能な係合爪を有しており，該係合爪を上記貫通穴に係合して上記アシストグリップと上記内装パネルとが一体化していることが好ましい。
【００１７】
これにより，上記アシストグリップは，ボディパネルに取り付けられていると共に内装パネルにも取り付けられている。そのため，アシストグリップの取付構造は一層強固になる。
【００１８】
【発明の実施の形態】
実施形態例
本発明の実施形態例にかかるアシストグリップの取付方法及び取付構造につき，図１〜図６を用いて説明する。
本例においては，図１に示すごとく，アシストグリップ１をボディパネル４へ取り付けるに際して，まずは，ボディパネル４に設けた係合穴４１に一度挿入すれば抜き出すことができない嵌め殺しクリップ３を準備する。また，嵌め殺しクリップ３をクッション材２に着脱可能に固定すると共に，クッション材２をアシストグリップ１の両端に予め配設しておく。
そして，図２に示すごとく，アシストグリップ１は，嵌め殺しクリップ３を上記ボディパネル４の係合穴４１に挿入することにより，ボディパネル４に取り付ける。
【００１９】
以下に，これを詳説する。
図１に示すごとく，上記アシストグリップ１は，その両端にクッション材２を配設してなる。アシストグリップ１は，人が把手する把手部１１と該把手部１１の両端に設けられた係合部１２とを有する。この係合部１２には，アシストグリップ１をボディパネル４に取り付けるためのクッション材２を配設する。
【００２０】
図３（ａ）に示すごとく，上記クッション材２は，その基板部２１の中心に固定具２０を通す穴２２と，その裏面に内装パネル５の貫通穴５１の周縁部５１１に係合する係合爪２３と（図５（ａ）参照），ボディパネル４のキリ穴４２に挿入する挿入軸２４とを有している。また，クッション材２は，基板部２１の端部に折り曲げ可能に連結されたカバー部２５を有しており，上記嵌め殺しクリップ３をクッション材２に取り付けた後には，このカバー部２５を閉じるようになっている。
【００２１】
また，クッション材２の背面には，アシストグリップ１の係合部１２に係合するための支承部２６が形成されている。本例におけるアシストグリップ１は，回転可能なものであるため，上記支承部２６は，一対の軸受け部２６１を有した形状になっており，アシストグリップ１に係合する際には，ダンパー２６２又はスプリング２６３を介して軸２６４により係合される（図１参照）。
【００２２】
図３（ｂ）に示すごとく，上記嵌め殺しクリップ３は，上記ボディパネル４に設けられた係合穴４１に挿入して掛止される掛止爪３１と，上記係合穴４１の周辺に引っ掛かる掛止フランジ３２とを有している。そして，嵌め殺しクリップ３は，上記掛止爪３１を上記係合穴４１に挿入して上記ボディパネル４に取り付けた後は，掛止爪３１及び掛止フランジ３２がボディパネル４に掛止されて外れないようになっている。
また，嵌め殺しクリップ３は，１枚の板を切り開いて加工した一体品である。嵌め殺しクリップ３は，ビス２０により，ビス２０のネジ谷部を嵌め殺しクリップ３に設けられた円形穴３３に螺合することにより，上記クッション材２に固定される。
【００２３】
次に，アシストグリップ１をボディパネル４に取り付ける方法について説明する。
まずは，図４（ａ）に示すごとく，嵌め殺しクリップ３をクッション材２にビス２０により固定し，クッション材２のカバー部２５を閉じる。なお，このときには，クッション材２はアシストグリップ１の係合部１２に上記軸２６４及びクッション材２の支承部２６により係合してある。
【００２４】
次に，図４（ｂ）に示すごとく，クッション材２及び嵌め殺しクリップ３が取り付いたアシストグリップ１を，クッション材２の係合爪２３が内装パネル５の貫通穴５１に係合するようにして（図５（ａ）参照），内装パネル５に取り付け，仮組み体１０とする。
【００２５】
そして，図４（ｃ）に示すごとく，上記仮組み体１０を，嵌め殺しクリップ３をボディパネル４の係合穴４１に挿入して（図５（ｂ）参照），ワンタッチでボディパネル４に取り付ける。このとき，嵌め殺しクリップ３の掛止爪３１と掛止フランジ３２とが係合穴４１の周辺に引っ掛かる。また，このとき，クッション材２の挿入軸２４はボディパネル４に設けられた挿入穴４２に挿入され，これにより，アシストグリップ１はボディパネル４に対して正確な位置に取り付けられる。
【００２６】
ここで，メンテナンスのときなどにアシストグリップ１を取り外す方法について説明する。
図６に示すごとく，上記クッション材２のカバー部２５を開けてビス２０を回し，クッション材２及びアシストグリップ１が取り付いた状態の内装パネル５を取り外す。このとき，嵌め殺しクリップ３は，ボディパネル４に残ったままとなる。このようにして，アシストグリップ１は，取付を行った後，何度でも自由に取り付け，取り外しを行うことができる。
【００２７】
次に，アシストグリップ１のボディパネル４への取付構造について説明する。図２に示すごとく，上記アシストグリップ１は，その両端にクッション材２が配設され，クッション材２には，ボディパネル４に設けた係合穴４１に上記嵌め殺しクリップ３が着脱可能に固定してあり，嵌め殺しクリップ３が係合穴４１に係合して，ボディパネル４に取り付けられている。
また，上記ボディパネル４の室内側表面には，内装パネル５が配設されており，嵌め殺しクリップ３は，内装パネル５に設けた貫通穴５１を通ってボディパネル４の係合穴４１に係合している。これにより，アシストグリップ１はボディパネル４及び内装パネル５と一体化している。
【００２８】
次に，本例の作用効果につき説明する。
本例においては，アシストグリップ１をボディパネル４に取り付けるに当り，上記嵌め殺しクリップ３を使用する。この嵌め殺しクリップ３は，クッション材２に着脱可能に予め固定しておく。そして，嵌め殺しクリップ３をボディパネル４の係合穴４１に挿入することにより，アシストグリップ１をボディパネル４に取り付ける。
このとき，嵌め殺しクリップ３の挿入により，アシストグリップ１をボディパネル４にワンタッチで取り付けることができる。そのため，アシストグリップ１のボディパネル４への取付が極めて容易である。
【００２９】
また，例えばメンテナンスのときなど，アシストグリップ１を取り外す必要があるときには，嵌め殺しクリップ３のクッション材２への固定を外すことにより，嵌め殺しクリップ３をボディパネル４に残したまま，容易にアシストグリップ１を取り外すことができる。
そのため，上記アシストグリップ１は，取付を行った後には，嵌め殺しクリップ３とクッション材２との着脱を行うことにより，容易に着脱を繰り返すことができる。
また，ボディパネル４には，嵌め殺しクリップ３を係合させる係合穴４１を設けるだけでよく，従来のようにウェルドナット等の取付部を設けなくてもよい。そのため，ボディパネル４の製造工程を合理化することができる。
【００３０】
なお，上記のごとく，クッション材２及び嵌め殺しクリップ３が取り付いたアシストグリップ１と内装パネル５とが一体になった仮組み体１０を，ワンタッチでボディパネル４に取り付ける。そのため，アシストグリップ１は，内装パネル５をボディパネル４に取り付けると同時に，ボディパネル４に取り付けられることができる。そのため，アシストグリップ１のボディパネル４への取付が一層容易である。
【００３１】
【発明の効果】
上述のごとく，本発明によれば，取付が簡単であると共に着脱可能で，かつ，ボディパネルの製造工程を合理化することができるアシストグリップの取付方法及び取付構造を提供することができる。
【図面の簡単な説明】
【図１】実施形態例における，アシストグリップへのクッション材及び嵌め殺しクリップの配置を示す説明図。
【図２】実施形態例における，アシストグリップをボディパネルに取り付けた状態を示す説明図。
【図３】実施形態例における，（ａ）クッション材の斜視図，（ｂ）嵌め殺しクリップの斜視図。
【図４】実施形態例における，アシストグリップの取付方法を示す図で，（ａ）嵌め殺しクリップをクッション材にビスにより固定した状態，（ｂ）クッション材及び嵌め殺しクリップが取り付いたアシストグリップを内装パネルに取り付け仮組み体とした状態，（ｃ）仮組み体をボディパネルに取り付けた状態を示す説明図。
【図５】実施形態例における，（ａ）クッション材の係合爪を内装パネルの貫通穴に係合させた状態，（ｂ）嵌め殺しクリップをボディパネルの係合穴に掛止させた状態を示す平面図。
【図６】実施形態例における，クッション材及びアシストグリップが取り付いた状態の内装パネルをボディパネルより取り外した状態を示す説明図。
【図７】従来例における，（ａ）アシストグリップをボディパネルに取り付けた状態を示す説明図，（ｂ）アシストグリップをビス及びウェルドナットによりボディパネルに取り付けた状態を示す部分拡大図，（ｃ）ビスを取り外してアシストグリップをボディパネルから取り外した状態を示す部分拡大図。
【符号の説明】
１．．．アシストグリップ，
１０．．．仮組み体，
２．．．クッション材，
３．．．嵌め殺しクリップ，
４．．．ボディパネル，
４１．．．係合穴，
５．．．内装パネル，
５１．．．貫通穴，
【図１】
0004433585.tif 000002
【図２】
0004433585.tif 000003
【図３】
0004433585.tif 000004
【図４】
0004433585.tif 000005
【図５】
0004433585.tif 000006
【図６】
0004433585.tif 000007
【図７】
0004433585.tif 000008